(57)【要約】【課題】受信感度を維持しつつ高い信頼性をもつ送信回路を得る。【解決手段】制御信号により分配器から分配された他方の局部発振器信号の通過電力を調整する可変アッテネータと、ミクサから出力される送信ＲＦ信号と可変アッテネータから出力される送信ＲＦ信号を混合する混合器と、を有し、無変調信号送信時、制御装置はベースバンド信号のレベルが零になるような電圧のデータをベースバンド回路に入力するとともに、可変アッテネータで局部発振器信号の通過電力が減衰されないような制御信号を可変アッテネータに入力し、無変調信号送信から変調信号送信に切り換える時および変調信号送信から無変調信号送信に切り換える時、制御信号および電圧をランプ処理して変化する。【選択図】図１
2011120002.tif 000002
【特許請求の範囲】
【請求項１】
送信データまたは複数の電圧のデータを出力すると共に制御信号を出力する制御装置、送信データまたは複数の電圧のデータをベースバンド信号に変換するベースバンド回路、局部発振器信号を発振する局部発振器、上記ベースバンド信号を上記局部発振器信号で変調し送信ＲＦ信号として出力するミクサ、上記局部発振器信号を２つに分配し一方の信号を上記ミクサに入力する分配器を有する送信回路において、
上記制御信号により上記分配器から分配された他方の上記局部発振器信号の通過電力を調整する可変アッテネータと、
上記ミクサから出力される送信ＲＦ信号と上記可変アッテネータから出力される送信ＲＦ信号を混合する混合器と、
を有し、
無変調信号送信時、上記制御装置は上記ベースバンド信号のレベルが零になるような電圧のデータを上記ベースバンド回路に入力するとともに、上記可変アッテネータで上記局部発振器信号の通過電力が減衰されないような上記制御信号を上記可変アッテネータに入力し、
無変調信号送信から変調信号送信に切り換える時および変調信号送信から無変調信号送信に切り換える時、上記制御信号および電圧をランプ処理して変化することを特徴とする送信回路。
【請求項２】
上記制御装置からの第２の制御信号により上記ミクサから出力される送信ＲＦ信号の通過電力を調整する第２の可変アッテネータを有することを特徴とする請求項１に記載の送信回路。
【発明の詳細な説明】
【技術分野】
【０００１】
この発明は、電池レスタイプのタグとデータ送受信を行う送信回路に関するものである。
【背景技術】
【０００２】
従来の送信回路では、電池レスタイプのタグとデータ送受信をする場合、タグへの電力供給、タグからの応答信号受信時においては、送信回路からタグに対して無変調信号を送信し、タグへのデータ送信時においてはタグに対して変調信号を送信していた。
そして、無変調信号を送信する時は、スイッチ切換により、局部発振器から分配器を通して出力される局部発振信号を直接アンプに通しアンプで増幅させ、変調信号を送信する時は、ミクサからのＲＦ信号をアンプに通しアンプで増幅させていた。
【０００３】
このような切換スイッチを設けていたのは、無変調信号送信時においても、ベースバンド回路内のＤＡ変換器の熱雑音などが受信側回路に回り込んでタグ応答信号に対して雑音として加わり、データ復調におけるＨ／Ｌの判別に影響を与えてしまうため、タグ応答信号受信時において送信側回路から受信側回路への雑音の影響を無くし受信感度を向上させるためである（例えば、特許文献１参照）。
【先行技術文献】
【特許文献】
【０００４】
【特許文献１】特開２００７−２８１７８８号公報
【発明の概要】
【発明が解決しようとする課題】
【０００５】
ところで、従来の送信回路では、上位の制御装置から選択信号によるスイッチ切換により、タグに無変調信号送信時は、局部発振器から分配器を通して出力される局部発振信号を直接アンプに通すように、変調信号送信時は、ミクサからのＲＦ信号をアンプに通すように制御されていた。
このような構造では、切換え時は選択信号の電圧をＨからＬまたはＬからＨに急に切り換える形をとるために、切換え時にスイッチの出力となる信号、即ち無変調信号の電力が急に立ち上がり、変調信号の電力が急に立ち下がる。
また一方では、無変調信号の電力が急に立ち下がり、変調信号の電力が急に立ち上がるスイッチ切換時のスイッチ出力の信号がスイッチ変動と共に瞬時に変動するため、送信回路出力信号の周波数スペクトラムは、送信信号の周波数より数１０ｋＨｚ、数１００ｋＨｚ離調をはじめとする広範囲の帯域においてスプリアスが発生する。
【０００６】
これはデータ送信時に必要となる周波数帯域外の信号成分を持つということで、特定の離調周波数における電力を所定の値以下とする電波法に抵触すると共に、送信信号の周波数の近傍の周波数帯を使用する他の送受信装置の送受信への妨害も引き起こすケースも想定され、送信回路への信頼性が低下するという問題がある。
【０００７】
この発明は、上記従来技術の課題を解決するためになされたもので、送信回路の無変調信号送信から変調信号送信への切換時、変調信号送信から無変調信号送信への切換時における送信回路出力のスプリアスを抑制することで、受信感度を維持しつつ高い信頼性をもつ送信回路を得ることを目的とする。
【課題を解決するための手段】
【０００８】
この発明に係る送信回路は、送信データまたは複数の電圧のデータを出力すると共に制御信号を出力する制御装置、送信データまたは複数の電圧のデータをベースバンド信号に変換するベースバンド回路、局部発振器信号を発振する局部発振器、上記ベースバンド信号を上記局部発振器信号で変調し送信ＲＦ信号として出力するミクサ、上記局部発振器信号を２つに分配し一方の信号を上記ミクサに入力する分配器を有する送信回路において、上記制御信号により上記分配器から分配された他方の上記局部発振器信号の通過電力を調整する可変アッテネータと、上記ミクサから出力される送信ＲＦ信号と上記可変アッテネータから出力される送信ＲＦ信号を混合する混合器と、を有し、無変調信号送信時、上記制御装置は上記ベースバンド信号のレベルが零になるような電圧のデータを上記ベースバンド回路に入力するとともに、上記可変アッテネータで上記局部発振器信号の通過電力が減衰されないような上記制御信号を上記可変アッテネータに入力し、無変調信号送信から変調信号送信に切り換える時および変調信号送信から無変調信号送信に切り換える時、上記制御信号および電圧をランプ処理して変化する。
【発明の効果】
【０００９】
この発明に係る送信回路は、無変調信号送信時と変調信号送信時の信号経路が異なるとともに、双方の信号を切り替える際には、制御信号および電圧を緩やかに変化させる、つまりランプ処理して変化させるので、送信回路出力信号のスプリアスを抑制することで送信回路への信頼性が高くなるという効果がある。
【図面の簡単な説明】
【００１０】
【図１】この発明の実施の形態１に係る送信回路の構成図である。
【図２】この発明の実施の形態１に係る送信回路を内蔵する送受信機の構成図である。
【図３】この発明の実施の形態１に係る送受信機の内部信号の説明図である。
【図４】この発明の実施の形態１に係る送受信機における信号スペクトラムの一例である。
【図５】この発明の実施の形態１に係る送受信機における信号スペクトラムの他の一例である。
【図６】この発明の実施の形態１に係る送受信機における信号スペクトラムの他の一例である。
【図７】この発明の実施の形態１に係る送信回路の各ステップでの手順を示すフローチャートである。
【図８】この発明の実施の形態２に係る送信回路の構成図である。
【図９】この発明の実施の形態２に係る送信回路を内蔵する送受信機の構成図である。
【図１０】この発明の実施の形態２に係る送受信機の内部信号の説明図である。
【図１１】この発明の実施の形態２に係る送信回路の各ステップでの手順を示すフローチャートである。
【発明を実施するための形態】
【００１１】
以下、本発明の送信回路の好適な実施の形態につき図面を用いて説明する。
実施の形態１．
図１は、この発明の実施の形態１に係る送信回路の構成図である。
この発明の実施の形態１に係る送信回路１は、制御装置２、送信側ベースバンド（ＢＢ）回路３、局部発振器４、分配器５、送信側ミクサ６、可変アッテネータ（ＡＴＴ）７、混合器８、および送信側アンプ９を備えている。
【００１２】
図２は、この発明の実施の形態１に係る送信回路を内蔵する送受信機の構成図である。
この発明の実施の形態１に係る送受信機１００は、送信回路１、サーキュレータ２０、アンテナ２１、受信回路側アンプ２２、受信側ミクサ２３、および受信側ベースバンド（ＢＢ）回路２４を備えている。送信回路１の構成は、図１と同様であるので、詳細の説明は省略する。
【００１３】
図３は、この発明の実施の形態１に係る送受信機１００の内部信号の説明図である。
送受信機１００の内部では、制御装置２から出力される制御信号１００１、送信側ベースバンド回路３から出力される送信側ベースバンド回路出力信号１００２、局部発振器４から出力される局部発振器信号１００３、送信側ミクサ６から出力される送信ＲＦ信号Ａ（無変調／変調）１００４、可変ＡＴＴ７から出力される送信ＲＦ信号Ｂ（無変調）１００５、送信回路１から出力される送信回路出力信号１００６が送受信される。
【００１４】
図４は、この発明の実施の形態１に係る送受信機における信号スペクトラムの一説明図である。
送信回路１から出力される無変調のときの送信回路出力信号１００６は、図４に示すようなスペクトラム１１１を有する。
【００１５】
図５は、この発明の実施の形態１に係る送受信機における信号スペクトラムの他の説明図である。
送信回路１から出力される変調のときの送信回路出力信号１００６は、図５に示すようなスペクトラム１１２を有する。
【００１６】
図６は、この発明の実施の形態１に係る送受信機における信号スペクトラムの他の説明図である。
送信回路１から出力される無変調のときの送信回路出力信号１００６は、図６に示すようなスプリアス１１４を含むスペクトラム１１３を有する。
【００１７】
次に、この発明の実施の形態１に係る送受信機における動作、作用の一実施例について図７のフローチャートを参照しながら説明する。
図７において、まず、ステップＳ１０１においては、送信回路１（送受信機１００）よりタグ２５に対して電力供給用の無変調の送信回路出力信号１００６を送信する。局部発振器４から出力される局部発振器信号１００３は、分配器５より送信ＲＦ信号Ｂ１００５として、可変アッテネータ７、混合器８を経由して送信回路出力信号１００６として出力される。送信側ミクサ６は経由しない。
即ち、送信回路１においては、制御装置２により制御信号１００１の電圧を＋１Ｖに設定する。この電圧により可変アッテネータ７は局部発振器信号１００３を減衰することなく送信ＲＦ信号Ｂ１００５としてそのまま通過させることのできる状態となる。
局部発振器４より出力される局部発振器信号１００３は、分配器５を通り、送信ＲＦ信号Ｂ１００５として、可変アッテネータ７を減衰することなく通過し、混合器８を通過する。
【００１８】
また、一方で、制御装置２により送信側ＢＢ回路出力信号１００２が０Ｖとなるように送信側ベースバンド（ＢＢ）回路３を制御する。送信側ＢＢ回路出力信号１００２は送信側ミクサ６に入る。
局部発振器４より出力される局部発振器信号１００３は、分配器５を通り、送信側ミクサ６に入り、送信ＲＦ信号Ａ１００４として出力されるが、送信側ベースバンド回路出力信号１００２が０Ｖであるため、送信ＲＦ信号Ａ１００４は殆ど振幅がない状態となる。
ゆえに、混合器８からの出力は、ほぼ送信ＲＦ信号Ｂ１００５で占められる状態となり、送信側アンプ９より送信回路出力信号１００６として出力される。送信回路出力信号１００６のスペクトラムはスペクトラム１１１となる。
【００１９】
ステップＳ１０２においては、送信回路１（送受信機１００）より送信ＲＦ信号Ａ１００４を送信するための信号切換え制御を行う。（送信信号の経路を送信側ミクサ６経由に切換える。）
即ち、送信回路１においては、制御装置２によるランプ処理により制御信号１００１の電圧は＋１Ｖから０Ｖに緩やかに変化する。この電圧の変化により可変アッテネータ７の送信ＲＦ信号Ｂ１００５も緩やかに減衰し、局部発振器４からの局部発振器信号１００３は、分配器５を通過し送信ＲＦ信号Ｂ１００５となるが、可変アッテネータ７において制御信号１００１の電圧に従い、減衰してゆく。
【００２０】
また、一方で、制御装置２で送信側ＢＢ回路出力信号１００２が０Ｖから＋１Ｖに緩やかに変化するように送信側ベースバンド回路３を制御する。送信側ＢＢ回路出力信号１００２は送信側ミクサ６に入る。
局部発振器４より出力される局部発振器信号１００３は、送信側ミクサ６に入るが、送信側ＢＢ回路出力信号１００２が０Ｖから＋１Ｖに緩やかに変化するのに従い、送信側ミクサ６より出力される送信ＲＦ信号Ａ１００４も緩やかに増加する。
これにより、混合器８からの出力、送信回路１からの送信回路出力信号１００６のスペクトラムはスペクトラム１１３、送信ＲＦ信号Ａ１００４の緩やかな増加、送信ＲＦ信号Ｂ１００５の緩やかな減衰によるスペクトラム１１３となる。送信ＲＦ信号Ａ１００４の緩やかな増加、送信ＲＦ信号Ｂ１００５の緩やかな減衰によりスプリアス１１４が抑圧される。
【００２１】
ステップＳ１０３においては、送信回路１（送受信機１００）よりタグ２５に対してデータ送信用の送信回路出力信号１００６を送信する。
局部発振器４からの局部発振器信号１００３は、分配器５より送信ＲＦ信号Ａ１００４として、送信側ミクサ６、混合器８を経由して送信回路出力信号１００６として出力される。可変アッテネータ７は経由しない。即ち、送信回路１においては、制御装置２により制御信号１００１の電圧を０Ｖに設定する。
【００２２】
この電圧により可変アッテネータ７では局部発振器信号１００３が大幅に減衰され、送信ＲＦ信号Ｂ１００５として混合器８に入力される。局部発振器４より出力される局部発振器信号１００３は、分配器５を通り、可変アッテネータ７に入るが、殆ど信号なしの状態に減衰される。
また、一方で、制御装置２より送信側ベースバンド回路３を通して最大＋１Ｖの送信側ベースバンド回路出力信号１００２を送信側ミクサ６に送信する。
局部発振器４より出力される局部発振器信号１００３は、分配器５を通り、送信側ミクサ６に入り変調され、送信ＲＦ信号Ａ１００４として出力され、混合器８を通過する。混合器８からの出力は、ほぼ送信ＲＦ信号Ａ１００４で占められる状態となり、送信側アンプ９より送信回路出力信号１００６として出力される。送信回路出力信号１００６のスペクトラムは変調信号のスペクトラム１１２となる。
【００２３】
ステップＳ１０４においては、送信回路１（送受信機１００）より電力供給用の送信ＲＦ信号Ｂ１００５（１００６）を送信するための信号切換え制御を行う。（送信信号の経路を可変アッテネータ７経由に切換える。）
即ち、送信回路１においては、制御装置２によるランプ処理により制御信号１００１の電圧は０Ｖから＋１Ｖに緩やかに変化する。この電圧の変化により可変アッテネータ７から出力される送信ＲＦ信号Ｂ１００５も緩やかに増加し、局部発振器４からの局部発振器信号１００３は、分配器５を通り送信ＲＦ信号Ｂ１００５となるが、可変アッテネータ７において制御信号１００１の電圧に従い、増加してゆく。
【００２４】
また、一方で、制御装置２により送信側ＢＢ回路出力信号１００２が＋１Ｖから０Ｖに緩やかに変化するように送信側ベースバンド回路３を制御する。送信側ＢＢ回路出力信号１００２は送信側ミクサ６に入力される。
局部発振器４より出力される局部発振器信号１００３は、送信側ミクサ６に入力されるが、送信側ＢＢ回路出力信号１００２が＋１Ｖから０Ｖに緩やかに変化するのに従い、送信側ミクサ６より出力される送信ＲＦ信号Ａ１００４も緩やかに減衰する。
【００２５】
これにより、混合器８から出力されて送信側アンプ９により増幅され、送信回路１からの送信回路出力信号１００６のスペクトラムはスペクトラム１１３、送信ＲＦ信号Ａ１００４の緩やかな減衰、送信ＲＦ信号Ｂ１００５の緩やかな増加によるスプリアス１１４となる。送信ＲＦ信号Ａ１００４の緩やかな増加、送信ＲＦ信号Ｂ１００５の緩やかな減衰によりスプリアス１１４が抑圧される。
【００２６】
ステップＳ１０５における手順は、ステップＳ１０１における手順と同一のため説明を省略する。
【００２７】
この発明の実施の形態１に係る送信回路１では、以上のように構成されているため、無変調信号送信時と変調信号送信時の信号経路が異なるとともに、双方の信号を切り替える際には、制御信号および電圧を緩やかに変化させる、つまりランプ処理して変化させるので、送信回路出力信号１００６のスプリアスを抑制することで送信回路１への信頼性が高くなるという効果がある。
【００２８】
実施の形態２．
図８は、この発明の実施の形態２に係る送信回路の構成図である。
この発明の実施の形態２に係る送信回路１Ｂは、この発明の実施の形態１に係る送信回路１に可変アッテネータＡ１０を追加したことが異なり、それ以外は同様であるので同様な部分に同じ符号を付記し説明を省略する。
可変アッテネータＡ１０は、送信側ミクサ６からのＲＦ出力信号Ｃと制御装置２Ｂからの制御信号Ａが入力され、ＲＦ出力信号Ｃを制御信号Ａに従って減衰し、送信ＲＦ出力信号Ａとして出力する。
【００２９】
図９は、この発明の実施の形態２に係る送信回路を含む送受信機の構成図である。
この発明の実施の形態２に係る送受信機１００Ｂは、送信回路１Ｂ、サーキュレータ２０、アンテナ２１、受信回路側アンプ２２、受信側ミクサ２３、および受信側ベースバンド（ＢＢ）回路２４を備えている。送信回路１Ｂの構成は、図８と同様であるので、詳細の説明は省略する。
送信回路１Ｂから出力された送信回路出力信号がサーキュレータ２０によりアンテナ２１に伝送され、アンテナ２１が励振されて、タグ２５に向けて送信される。
【００３０】
図１０は、この発明の実施の形態２に係る送受信機の内部信号の説明図である。
送受信機１００Ｂの内部では、制御装置２Ｂから出力される制御信号２００１、送信側ベースバンド回路３から出力される送信側ベースバンド（ＢＢ）回路出力信号２００２、局部発振器４から出力される局部発振器信号２００３、可変アッテネータ１０から出力される送信ＲＦ信号Ａ（無変調／変調）２００４、可変アッテネータ７から出力される送信ＲＦ信号Ｂ（無変調）２００５、送信回路１Ｂから出力される送信回路出力信号２００６、制御装置２Ｂから出力される制御信号Ａ２０１０が送受信される。
【００３１】
この発明の実施の形態２に係る送受信機１００Ｂから送信される信号のスペクトラムは図４、図５、図６と同一であるので、説明は省略する。
【００３２】
次に、この発明の実施の形態２に係る送受信機における動作、作用の一例を図１１のフローチャートを参照しながら説明する。
まず、ステップＳ２０１においては、送信回路１Ｂ（送受信機１００Ｂ）よりタグ２５に対して電力供給用の無変調である送信回路出力信号２００６を送信する。
局部発振器４からの局部発振器信号２００３は、分配器５により可変アッテネータ７に分配され、分配された局部発振器信号２００３は可変アッテネータ７で減衰されて、減衰された信号は送信ＲＦ信号Ｂとして混合器８に入力される。
【００３３】
即ち、送信回路１Ｂにおいては、制御装置２Ｂにより制御信号２００１の電圧を＋１Ｖに設定する。この電圧により可変アッテネータ７は局部発振器信号２００３を減衰させること無くそのまま通過させることのできる状態となる。
局部発振器４より出力される局部発振器信号２００３は、分配器５を通り、可変アッテネータ７で減衰されることなく通過し、混合器８に入力される。
【００３４】
一方、制御装置２Ｂにより送信側ＢＢ回路出力信号２００２が＋１Ｖとなるように送信側ベースバンド（ＢＢ）回路３を制御する。送信側ＢＢ回路出力信号２００２は送信側ミクサ６に入る。
局部発振器４より出力される局部発振器信号２００３は、分配器５により送信側ミクサ６に分配され、分配された局部発振器信号２００３は、送信側ミクサ６により送信側ＢＢ回路出力信号２００２によりミキシングされ、送信ＲＦ信号Ｃとして出力される。
送信ＲＦ信号Ｃは可変アッテネータＡ１０に入力される。
可変アッテネータＡ１０は、制御装置２Ｂからの制御信号Ａ２０１０が０Ｖであるため、送信ＲＦ信号Ｃを殆ど零レベルまで減衰し、通過後には殆ど信号がない状態となる。
混合器８からの出力は、ほぼ送信ＲＦ信号Ｂ２００５で占められる状態となり、送信側アンプ９より送信回路出力信号２００６として出力される。送信回路出力信号２００６のスペクトラムはスペクトラム１１１となる。
【００３５】
ステップＳ２０２においては、送信回路１Ｂ（送受信機１００Ｂ）より送信ＲＦ信号Ａ２００４を送信するための信号切換え制御を行う。送信信号の経路を送信側ミクサ６経由に切換える。即ち、送信回路１Ｂにおいては、制御装置２Ｂによるランプ処理により制御信号２００１の電圧は＋１Ｖから０Ｖに緩やかに変化する。この電圧の変化により可変アッテネータ７から出力される送信ＲＦ信号Ｂ２００５も緩やかに減衰し、局部発振器４からの局部発振器信号２００３は、分配器５を通り送信ＲＦ信号Ｂ２００５となるが、可変アッテネータ７において制御信号２００１の電圧に従い、減衰してゆく。
【００３６】
一方、制御装置２Ｂにより送信側ＢＢ回路出力信号２００２が＋１Ｖとなるように送信側ベースバンド（ＢＢ）回路３を制御する。送信側ＢＢ回路出力信号２００２は送信側ミクサ６に入力される。
局部発振器４より出力される局部発振器信号２００３は、分配器５を通り、送信側ミクサ６に入り、無変調信号として出力され、可変アッテネータＡ１０に入力される。可変アッテネータＡ１０は、制御装置２Ｂからの制御信号Ａ２０１０が０Ｖから＋１Ｖに緩やかに変化するため、送信ＲＦ信号Ｂ２００４は、信号がない状態から、制御信号Ａ２０１０の変化に伴い、増加する。
【００３７】
これにより、混合器８からの出力、すなわち送信回路１Ｂからの送信回路出力信号２００６のスペクトラムはスペクトラム１１３となり、送信ＲＦ信号Ａ２００４の緩やかな増加、送信ＲＦ信号Ｂ２００５の緩やかな減衰によるスプリアス１１４となる。送信ＲＦ信号Ａ２００４の緩やかな増加、送信ＲＦ信号Ｂ２００５の緩やかな減衰によりスプリアス１１４が抑圧される。
【００３８】
ステップＳ２０３においては、送信回路１Ｂ（送受信機１００Ｂ）よりタグ２５に対してデータ送信用の変調された送信回路出力信号２００６を送信する。
局部発振器４からの局部発振器信号２００３は、分配器５より送信ＲＦ信号Ａ２００４として、送信側ミクサ６、混合器８を経由して送信回路出力信号２００６として出力される。可変アッテネータ７は経由しない。
【００３９】
即ち、送信回路１Ｂにおいては、制御装置２Ｂにより制御信号２００１の電圧を０Ｖに設定する。この電圧により可変アッテネータ７では局部発振器信号２００３を大幅に減衰し、信号レベルが大幅に減衰された送信ＲＦ信号Ｂ２００５を出力する。
局部発振器４より出力される局部発振器信号２００３は、分配器５を通り、送信ＲＦ信号Ｂ２００５として、可変アッテネータ７に入るが殆ど信号なしの状態に減衰する。
【００４０】
また、一方で、制御装置２Ｂより送信側ベースバンド回路３を通して最大＋１Ｖの送信側ベースバンド回路出力信号２００２を送信側ミクサ６に送信する。
局部発振器４より出力される局部発振器信号２００３は、分配器５を通り、送信側ミクサ６に入り変調され、可変アッテネータＡ１０では減衰することなく通過し、送信ＲＦ信号Ｂ２００４として出力され、混合器８を通過する。これは、可変アッテネータＡ１０は制御装置２Ｂからの制御信号Ａ２０１０が＋１Ｖ一定で可変アッテネータＡ１０を制御しているためである。
【００４１】
混合器８から出力される信号は、ほぼ送信ＲＦ信号Ａ２００４で占められる状態となり、送信側アンプ９より送信回路出力信号２００６として出力される。送信回路出力信号２００６のスペクトラムはスペクトラム１１２となる。
【００４２】
ステップＳ２０４においては、送信回路１Ｂ（送受信機１００Ｂ）より電力供給用の送信ＲＦ信号Ｂ２００５（２００６）を送信するための信号切換え制御を行う。（送信信号の経路を可変アッテネータ７経由に切換える。）即ち、送信回路１Ｂにおいては、制御装置２Ｂによるランプ処理により制御信号２００１の電圧は０Ｖから＋１Ｖに緩やかに変化する。この電圧の変化により可変アッテネータ７の送信ＲＦ信号Ｂ２００５も緩やかに増加し、局部発振器４からの局部発振器信号２００３は、分配器５を通り送信ＲＦ信号Ｂ２００５となるが、可変アッテネータ７において制御信号２００１の電圧に従い、増加してゆく。
【００４３】
一方で、制御装置２Ｂにより送信側ＢＢ回路出力信号２００２が＋１Ｖとなるように送信側ベースバンド（ＢＢ）回路３を制御する。送信側ＢＢ回路出力信号２００２は送信側ミクサ６に入る。
局部発振器４より出力される局部発振器信号２００３は、分配器５により２つに分配され、一方の局部発振器信号２００３は送信側ミクサ６に入力され、送信側ＢＢ回路出力信号２００２とミキシングされ、ＲＦ出力信号Ｃとして出力され、可変アッテネータＡ１０に入力される。
可変アッテネータＡ１０は、制御装置２Ｂからの制御信号Ａ２０１０が＋１Ｖから０Ｖに緩やかに変化するため、ＲＦ出力信号Ｃは殆ど減衰されない状態から殆ど信号がない状態に減衰される。
これにより、混合器８から出力され、送信側アンプ９で増幅された送信回路１Ｂからの送信回路出力信号２００６のスペクトラムはスペクトラム１１３と、送信ＲＦ信号Ａ２００４の緩やかな減衰、送信ＲＦ信号Ｂ２００５の緩やかな増加によるスプリアス１１４となる。送信ＲＦ信号Ａ２００４の緩やかな増加、送信ＲＦ信号Ｂ１００５の緩やかな減衰によりスプリアス１１４が抑圧される。
【００４４】
ステップＳ２０５においては、ステップＳ２０１における手順と同一のため説明を省略する。
【００４５】
この発明の実施の形態に係る送信回路１Ｂでは、以上のように構成されているため、無変調信号送信時と変調信号送信時の信号経路が異なる中で、双方の信号を切り替える際には送信回路１Ｂから出力される信号のスプリアスを抑制することで送信回路１Ｂへの信頼性が高くなるという効果がある。
【符号の説明】
【００４６】
１、１Ｂ  送信回路、２、２Ｂ  制御装置、３  送信側ベースバンド（ＢＢ）回路、４  局部発振器、５  分配器、６  送信側ミクサ、７、１０  可変アッテネータ（ＡＴＴ）、８  混合器、９  送信側アンプ、２０  サーキュレータ、２１  アンテナ、２２  受信回路側アンプ、２３  受信側ミクサ、２４  受信側ＢＢ回路、２５  タグ、１００、１００Ｂ  送受信機、１１１、１１２、１１３  スペクトラム、１１４  スプリアス、１００１、２００１  制御信号、１００２、２００２  送信側ベースバンド（ＢＢ）回路出力信号、１００３、２００３  局部発振器信号、１００４、２００４  送信ＲＦ信号Ａ、１００５、２００５  送信ＲＦ信号Ｂ、１００６、２００６  送信回路出力信号、２０１０  制御信号Ａ。
【図１】
2011120002.tif 000003
【図２】
2011120002.tif 000004
【図３】
2011120002.tif 000005
【図４】
2011120002.tif 000006
【図５】
2011120002.tif 000007
【図６】
2011120002.tif 000008
【図７】
2011120002.tif 000009
【図８】
2011120002.tif 000010
【図９】
2011120002.tif 000011
【図１０】
2011120002.tif 000012
【図１１】
2011120002.tif 000013